(57)【要約】【課題】  共有チャネルを用いたハンドオーバ時にデータ損失の発生を抑制することができる移動通信システムを得る。【解決手段】  コアネットワークから無線基地局１１及び１２にユーザデータが送信され、無線基地局１１が共有チャネルを用いて該データを移動端末１に送信している状態において、ハンドオーバが発生すると（ステップＳ１）、移動元無線基地局１１はハンドオーバの間、移動端末１へのデータ送信を中断するようにする（ステップＳ２）。ハンドオーバが完了すると（ステップＳ７）、移動先無線基地局１２は、ハンドオーバの間に自局のバッファに蓄積された移動端末１宛のユーザデータの送信を開始し、移動元無線基地局１１は中断されていたデータ送信を終了する。【選択図】      図３
2008022181.tif 000002
【特許請求の範囲】
【請求項１】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムであって、
前記移動先基地局は、前記移動局のハンドオーバの完了に応答して前記移動局に対する共有チャネルを用いた前記データの送信を開始するようにしたことを特徴とする移動通信システム。
【請求項２】
前記移動元基地局は、前記移動局のハンドオーバの間、前記移動局に対する共有チャネルを用いた前記データの送信を中断することを特徴とする請求項１記載の移動通信システム。
【請求項３】
前記移動元基地局は、前記移動局のハンドオーバが失敗した場合に前記移動局に対する共有チャネルを用いた前記データの送信を再開することを特徴とする請求項２記載の移動通信システム。
【請求項４】
前記移動先基地局は、前記移動局のハンドオーバの間に前記コアネットワークから受信される前記データを蓄積するバッファ手段を有し、前記バッファ手段のデータ蓄積量が所定値より大である場合に前記移動局に対する共有チャネルを用いた前記データの送信を他の移動局への送信より優先して行うことを特徴とする請求項１〜３いずれか記載の移動通信システム。
【請求項５】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムであって、
前記移動元基地局は、前記移動局のハンドオーバの間、前記移動局に対する共有チャネルを用いた前記データの送信を中断する中断期間と該送信を行う期間を交互に設け、
前記移動先基地局は、前記移動局のハンドオーバの間、前記中断期間に前記移動局に対する共有チャネルを用いた前記データの送信を行うようにしたことを特徴とする移動通信システム。
【請求項６】
前記移動先基地局は、前記移動局のハンドオーバの間に前記コアネットワークから受信される前記データを蓄積するバッファ手段を有し、前記移動局のハンドオーバが完了したとき、前記バッファ手段のデータ蓄積量が所定値より大である場合に前記移動局に対する共有チャネルを用いた前記データの送信を他の移動局への送信より優先して行うことを特徴とする請求項５記載の移動通信システム。
【請求項７】
前記移動局は、各基地局からのパイロット信号を監視することにより前記移動先基地局を決定してハンドオーバを実施することを特徴とする請求項１〜６いずれか記載の移動通信システム。
【請求項８】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムのハンドオーバ制御方法であって、
前記移動先基地局において、前記移動局のハンドオーバの完了に応答して前記移動局に対する共有チャネルを用いた前記データの送信を開始するステップを含むことを特徴とするハンドオーバ制御方法。
【請求項９】
前記移動元基地局において、前記移動局のハンドオーバの間、前記移動局に対する共有チャネルを用いた前記データの送信を中断するステップを含むことを特徴とする請求項８記載のハンドオーバ制御方法。
【請求項１０】
前記移動元基地局において、前記移動局のハンドオーバが失敗した場合に前記移動局に対する共有チャネルを用いた前記データの送信を再開するステップを含むことを特徴とする請求項９記載のハンドオーバ制御方法。
【請求項１１】
前記データの送信を開始するステップは、前記移動局のハンドオーバの間に前記コアネットワークから受信される前記データを蓄積する前記移動先基地局のバッファ手段のデータ蓄積量が所定値より大である場合に前記移動局に対する共有チャネルを用いた前記データの送信を他の移動局への送信より優先して行うことを特徴とする請求項８〜１０いずれか記載のハンドオーバ制御方法。
【請求項１２】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムのハンドオーバ制御方法であって、
前記移動元基地局において、前記移動局のハンドオーバの間、前記移動局に対する共有チャネルを用いた前記データの送信を中断する中断期間と該送信を行う期間を交互に設けるステップと、
前記移動先基地局において、前記移動局のハンドオーバの間、前記中断期間に前記移動局に対する共有チャネルを用いた前記データの送信を行うステップとを含むことを特徴とするハンドオーバ制御方法。
【請求項１３】
前記移動先基地局において、前記移動局のハンドオーバが完了したとき、前記移動局のハンドオーバの間に前記コアネットワークから受信される前記データを蓄積するバッファ手段のデータ蓄積量が所定値より大である場合に前記移動局に対する共有チャネルを用いた前記データの送信を他の移動局への送信より優先して行うことを特徴とする請求項１２記載のハンドオーバ制御方法。
【請求項１４】
前記移動局において、各基地局からのパイロット信号を監視することにより前記移動先基地局を決定してハンドオーバを実施するステップを含むことを特徴とする請求項８〜１３いずれか記載のハンドオーバ制御方法。
【請求項１５】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局であって、
自局への前記移動局のハンドオーバの完了に応答して前記移動局に対する共有チャネルを用いた前記データの送信を開始するようにしたことを特徴とする基地局。
【請求項１６】
自局から他局への前記移動局のハンドオーバの間、前記移動局に対する共有チャネルを用いた前記データの送信を中断することを特徴とする請求項１５記載の基地局。
【請求項１７】
自局から他局への前記移動局のハンドオーバが失敗した場合に前記移動局に対する共有チャネルを用いた前記データの送信を再開することを特徴とする請求項１６記載の基地局。
【請求項１８】
自局への前記移動局のハンドオーバの間に前記コアネットワークから受信される前記データを蓄積するバッファ手段を有し、前記バッファ手段のデータ蓄積量が所定値より大である場合に前記移動局に対する共有チャネルを用いた前記データの送信を他の移動局への送信より優先して行うことを特徴とする請求項１５〜１７いずれか記載の基地局。
【請求項１９】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局であって、
自局から他局への前記移動局のハンドオーバの間、前記移動局に対する共有チャネルを用いた前記データの送信を中断する中断期間と該送信を行う期間を交互に設け、自局への前記移動局のハンドオーバの間、前記他局において設けられた前記中断期間に前記移動局に対する共有チャネルを用いた前記データの送信を行うようにしたことを特徴とする基地局。
【請求項２０】
自局への前記移動局のハンドオーバの間に前記コアネットワークから受信される前記データを蓄積するバッファ手段を有し、前記移動局のハンドオーバが完了したとき、前記バッファ手段のデータ蓄積量が所定値より大である場合に前記移動局に対する共有チャネルを用いた前記データの送信を他の移動局への送信より優先して行うことを特徴とする請求項１９記載の基地局。
【請求項２１】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局の動作制御方法をコンピュータに実行させるためのプログラムであって、
自局への前記移動局のハンドオーバの完了に応答して前記移動局に対する共有チャネルを用いた前記データの送信を開始する処理を含むことを特徴とするプログラム。
【請求項２２】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局の動作制御方法をコンピュータに実行させるためのプログラムであって、
自局から他局への前記移動局のハンドオーバの間、前記移動局に対する共有チャネルを用いた前記データの送信を中断する中断期間と該送信を行う期間を交互に設ける処理と、他局から自局への前記移動局のハンドオーバの間、前記他局において設けられた前記中断期間に前記移動局に対する共有チャネルを用いた前記データの送信を行う処理とを含むことを特徴とするプログラム。
【請求項２３】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局であって、
前記移動局のハンドオーバの完了に応答して前記移動先基地局から共有チャネルを用いて送信開始される前記データを受信するようにしたことを特徴とする移動局。
【請求項２４】
前記移動局のハンドオーバの間、前記移動元基地局からの共有チャネルを用いた前記データの送信が中断された後、前記移動局のハンドオーバが失敗した場合に前記移動元基地局から共有チャネルを用いて送信再開される前記データを受信することを特徴とする請求項２３記載の移動局。
【請求項２５】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局であって、
前記移動局のハンドオーバの間、前記移動局に対する共有チャネルを用いた前記データの送信を中断する中断期間と該送信を行う送信期間を交互に設ける前記移動元基地局からの前記データを前記送信期間に受信すると共に、前記移動局のハンドオーバの間、前記中断期間に前記移動局に対する共有チャネルを用いた前記データの送信を行う前記移動先基地局からの前記データを前記中断期間に受信するようにしたことを特徴とする移動局。
【請求項２６】
各基地局からのパイロット信号を監視することにより前記移動先基地局を決定してハンドオーバを実施することを特徴とする請求項２３〜２５いずれか記載の移動局。
【請求項２７】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局の動作制御方法をコンピュータに実行させるためのプログラムであって、
前記移動局のハンドオーバの完了に応答して前記移動先基地局から共有チャネルを用いて送信開始される前記データを受信する処理を含むことを特徴とするプログラム。
【請求項２８】
移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局の動作制御方法をコンピュータに実行させるためのプログラムであって、
前記移動局のハンドオーバの間、前記移動局に対する共有チャネルを用いた前記データの送信を中断する中断期間と該送信を行う送信期間を交互に設ける前記移動元基地局からの前記データを前記送信期間に受信すると共に、前記移動局のハンドオーバの間、前記中断期間に前記移動局に対する共有チャネルを用いた前記データの送信を行う前記移動先基地局からの前記データを前記中断期間に受信する処理を含むことを特徴とするプログラム。
【発明の詳細な説明】
【技術分野】
【０００１】
本発明は移動通信システム、ハンドオーバ制御方法、基地局及び移動局並びにプログラムに関し、特に基地局から移動局に対して共有チャネルを用いてデータ送信が行われる移動通信システムに関する。
【背景技術】
【０００２】
例えば非特許文献１に記載されているように、ｅＮｏｄｅＢ（Ｅｎｈａｎｃｅｄ  Ｎｏｄｅ  Ｂ）である無線基地局からＵＥ（Ｕｓｅｒ  Ｅｑｕｉｐｍｅｎｔ）である移動端末に対して共有チャネルを用いてデータ送信が行われる移動通信システムでは、ハンドオーバのため、移動端末は周辺セルの受信信号レベルを測定し、移動元（ハンドオーバ元）無線基地局は移動端末により測定された周辺セルの受信信号レベルを基にハンドオーバ実施の判断を行い、移動先（ハンドオーバ先）無線基地局を決定する。
【０００３】
そして、移動元無線基地局は、移動先無線基地局に対してハンドオーバ要求をなし、移動端末に対して移動先無線基地局へのハンドオーバを指示する。また、移動元無線基地局は、移動先無線基地局に対してＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）であるコアネットワークから送られてくるユーザデータの転送を開始する。
【０００４】
ハンドオーバ指示を受けた移動端末は、移動先無線基地局と同期確立を行い、ハンドオーバ確認応答を移動先無線基地局に送信することにより、ハンドオーバ手続きが完了する。移動先無線基地局は、ハンドオーバ手続きが完了したことを移動元無線基地局に通知すると共に、コアネットワークが直接移動先無線基地局にユーザデータを送信できるように、移動端末の位置情報をコアネットワークに通知する。
【０００５】
なお、移動元無線基地局がハンドオーバ時、移動先無線基地局にユーザデータを転送するようにしているが、移動端末においてパイロット信号の受信品質が一定閾値以上となるセルを管理する無線基地局に対し、コアネットワークからユーザデータの送信が行われるようにすることにより、コアネットワークから移動元及び移動先の無線基地局の双方にユーザデータが送信されるようにしてもよい。
【０００６】
【非特許文献１】３ＧＰＰ  ＴＲ  ２５．８１３  Ｖ７．０．０  （２００６−０６）  ３ｒｄ  Ｇｅｎｅｒａｔｉｏｎ  Ｐａｒｔｎｅｒｓｈｉｐ  Ｐｒｏｊｅｃｔ；  Ｔｅｃｈｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｒａｄｉｏ  ｉｎｔｅｒｆａｃｅ  ｐｒｏｔｏｃｏｌ  ａｓｐｅｃｔｓ  （Ｒｅｌｅａｓｅ  ７），  ９．１．５  Ｈａｎｄｏｖｅｒ
【発明の開示】
【発明が解決しようとする課題】
【０００７】
共有チャネル伝送方式では、無線基地局においてパケットスケジューリングを行っているという理由から、セル間で時間同期をとることが困難であるため、ハードハンドオーバが行われる。このため、データ損失の発生やそれによるデータ送信レートの低下が懸念されている。また、上述したように、ハンドオーバ手続きとして、移動端末からの測定報告を受けて無線基地局がハンドオーバの実施を判断するため、無線チャネルの切り替えに時間がかかる。
【０００８】
現在、共有チャネルを使用して提供するサービスとして、データ転送やＷｅｂ情報の閲覧等のノンリアルタイムサービスが考えられている。この場合、ハンドオーバ時にパケット損失が発生したとき、上位層でパケット再送を実施することで移動端末がデータを受信することを保証している。しかし、遅延の発生がＱｏＳ（Ｑｕａｌｉｔｙ  ｏｆ  Ｓｅｒｖｉｃｅ）に大きな影響を与えるＶｏＩＰ（Ｖｏｉｃｅ  ｏｖｅｒ  ＩＰ）やストリーミング等のリアルタイムサービスを提供する場合や、ノンリアルタイムサービスでも高いＱｏＳが要求される場合には、上位層での再送制御は有効ではなく、受信データの遅延がサービス品質に大きな影響を与えることになる。そのようなサービスの提供を共有チャネルで実現するにあたり、データ損失と大きな遅延の発生しないハンドオーバ方式が求められている。
【０００９】
本発明の目的は、共有チャネルを用いたハンドオーバ時にデータ損失の発生を抑制することができる移動通信システム、ハンドオーバ制御方法、基地局及び移動局並びにプログラムを提供することである。
【課題を解決するための手段】
【００１０】
本発明による移動通信システムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムであって、前記移動先基地局は、前記移動局のハンドオーバの完了に応答して前記移動局に対する共有チャネルを用いた前記データの送信を開始するようにしたことを特徴とする。
【００１１】
前記移動通信システムにおいて、前記移動元基地局は、前記移動局のハンドオーバの間、前記移動局に対する共有チャネルを用いた前記データの送信を中断することを特徴とする。
【００１２】
本発明による別の移動通信システムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムであって、前記移動元基地局は、前記移動局のハンドオーバの間、前記移動局に対する共有チャネルを用いた前記データの送信を中断する中断期間と該送信を行う期間を交互に設け、前記移動先基地局は、前記移動局のハンドオーバの間、前記中断期間に前記移動局に対する共有チャネルを用いた前記データの送信を行うようにしたことを特徴とする。
【００１３】
本発明によるハンドオーバ制御方法は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムのハンドオーバ制御方法であって、前記移動先基地局において、前記移動局のハンドオーバの完了に応答して前記移動局に対する共有チャネルを用いた前記データの送信を開始するステップを含むことを特徴とする。
【００１４】
本発明による別のハンドオーバ制御方法は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムのハンドオーバ制御方法であって、前記移動元基地局において、前記移動局のハンドオーバの間、前記移動局に対する共有チャネルを用いた前記データの送信を中断する中断期間と該送信を行う期間を交互に設けるステップと、前記移動先基地局において、前記移動局のハンドオーバの間、前記中断期間に前記移動局に対する共有チャネルを用いた前記データの送信を行うステップとを含むことを特徴とする。
【００１５】
本発明による基地局は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局であって、自局への前記移動局のハンドオーバの完了に応答して前記移動局に対する共有チャネルを用いた前記データの送信を開始するようにしたことを特徴とする。
【００１６】
本発明による別の基地局は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局であって、自局から他局への前記移動局のハンドオーバの間、前記移動局に対する共有チャネルを用いた前記データの送信を中断する中断期間と該送信を行う期間を交互に設け、自局への前記移動局のハンドオーバの間、前記他局において設けられた前記中断期間に前記移動局に対する共有チャネルを用いた前記データの送信を行うようにしたことを特徴とする。
【００１７】
本発明によるプログラムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局の動作制御方法をコンピュータに実行させるためのプログラムであって、自局への前記移動局のハンドオーバの完了に応答して前記移動局に対する共有チャネルを用いた前記データの送信を開始する処理を含むことを特徴とする。
【００１８】
本発明による別のプログラムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける基地局の動作制御方法をコンピュータに実行させるためのプログラムであって、自局から他局への前記移動局のハンドオーバの間、前記移動局に対する共有チャネルを用いた前記データの送信を中断する中断期間と該送信を行う期間を交互に設ける処理と、他局から自局への前記移動局のハンドオーバの間、前記他局において設けられた前記中断期間に前記移動局に対する共有チャネルを用いた前記データの送信を行う処理とを含むことを特徴とする。
【００１９】
本発明による移動局は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局であって、前記移動局のハンドオーバの完了に応答して前記移動先基地局から共有チャネルを用いて送信開始される前記データを受信するようにしたことを特徴とする。
【００２０】
本発明による別の移動局は、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局であって、前記移動局のハンドオーバの間、前記移動局に対する共有チャネルを用いた前記データの送信を中断する中断期間と該送信を行う送信期間を交互に設ける前記移動元基地局からの前記データを前記送信期間に受信すると共に、前記移動局のハンドオーバの間、前記中断期間に前記移動局に対する共有チャネルを用いた前記データの送信を行う前記移動先基地局からの前記データを前記中断期間に受信するようにしたことを特徴とする。
【００２１】
本発明によるプログラムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局の動作制御方法をコンピュータに実行させるためのプログラムであって、前記移動局のハンドオーバの完了に応答して前記移動先基地局から共有チャネルを用いて送信開始される前記データを受信する処理を含むことを特徴とする。
【００２２】
本発明による別のプログラムは、移動局と、基地局と、前記基地局のうち少なくとも前記移動局のハンドオーバの際における移動元基地局及び移動先基地局の双方に対して前記移動局宛のデータを送信するコアネットワークとを含み、前記移動元基地局が共有チャネルを用いて前記データを前記移動局に送信する移動通信システムにおける移動局の動作制御方法をコンピュータに実行させるためのプログラムであって、前記移動局のハンドオーバの間、前記移動局に対する共有チャネルを用いた前記データの送信を中断する中断期間と該送信を行う送信期間を交互に設ける前記移動元基地局からの前記データを前記送信期間に受信すると共に、前記移動局のハンドオーバの間、前記中断期間に前記移動局に対する共有チャネルを用いた前記データの送信を行う前記移動先基地局からの前記データを前記中断期間に受信する処理を含むことを特徴とする。
【００２３】
このように、本発明では、コアネットワークから移動局宛のデータを受信している移動先無線基地局は、移動局のハンドオーバの完了に応答して、移動局に対する共有チャネルを用いた該データの送信を開始するようにしているので、パケット損失を発生させることなく移動局はハンドオーバを行うことができる。
【００２４】
また、本発明では、ハンドオーバの間、移動元無線基地局において中断期間と送信期間が交互に設けられ、中断期間に移動先無線基地局がデータ送信し、送信期間に移動元無線基地局がユーザデータ送信するので、移動局はハンドオーバの間、送信期間に移動元無線基地局からのユーザデータを受信しつつ、中断期間に移動先無線基地局からのユーザデータを受信することができ、よって、ハンドオーバ時のデータ損失の発生を抑制することができる。
【発明の効果】
【００２５】
本発明によれば、以下に述べるような構成及び動作とすることで、共有チャネルを用いたハンドオーバ時にデータ損失の発生を抑制することができるという効果が得られる。
【発明を実施するための最良の形態】
【００２６】
以下、本発明の実施例について図面を参照して説明する。
【００２７】
図１は本発明の実施例による共有チャネル伝送方式を用いた移動通信システムの構成を示す図である。図１において、本発明の実施例による移動通信システムは、移動端末１と、無線基地局１１〜１３と、コアネットワーク２０とを有する。
【００２８】
移動端末１は、共有チャネル伝送方式に対応しており、無線基地局１１〜１３とアクセスすることができる。無線基地局１１〜１３は、共有チャネル伝送方式に対応しており、それぞれコアネットワーク２０に有線接続されている。コアネットワーク２０は、呼制御を行う交換機であり、図示せぬ他の交換機や外部のネットワークと接続されている。
【００２９】
図２は図１の無線基地局１１〜１３各々の構成を示す図である。図２において、無線基地局１１〜１３各々は、移動端末１との間でデータを送受信するためのアンテナ１０１及び無線通信部１０２と、コアネットワーク２０との間でデータを送受信するための通信部１０３と、共有チャネルを用いたデータ送信の際の優先順位を決定するスケジューリングを行うスケジューリング部１０４と、コアネットワーク２０から受信される移動端末１宛のユーザデータを一時的に保存するバッファ１０５と、プログラムを格納したメモリ１０７と、メモリ１０７のプログラムに従って上述した各部を制御する制御部（ＣＰＵ）１０６とを有する。
【００３０】
以上、本実施例の構成を述べたが、図１の移動端末１及びコアネットワーク２０の構成は当業者にとってよく知られており、それらの詳細な構成についての説明は省略する。
【００３１】
次に、本発明の実施例による移動通信システムの動作について図面を参照して説明する。図３はハンドオーバ時の図１の移動通信システムの動作を示すシーケンス図であり、図５（ａ）はハンドオーバ時の図１の無線基地局のユーザデータ送信動作を示す図である。
【００３２】
なお、移動端末１は無線基地局１１のセルから無線基地局１２のセルに向かい移動している状態であり、共有チャネル伝送方式で無線基地局１１と通信を行っているものとする。移動端末１は、周辺セルから送信されるパイロット信号を受信してその受信品質を測定し、セルを識別する情報と共に無線基地局１１を介してコアネットワーク２０に報告する機能を有しており、コアネットワーク２０は、移動端末１においてパイロット信号の受信品質が一定閾値以上となるセルを管理する無線基地局に対して移動端末１宛のユーザデータを送信することにより、コアネットワーク２０から無線基地局１１及び１２の双方にデータ送信が行われている状態にある。ただし、移動元の無線基地局１１においてのみ無線区間におけるユーザデータの送信が行われている。
【００３３】
このとき、移動端末１は、各セルにおいて送信されるパイロット信号を受信し、その伝搬損失の大きさにより移動先のセルを決定して、ハンドオーバ実施要求を移動元無線基地局１１に行う（ステップＳ１）。なお、移動端末１は、パイロット信号の受信品質（例えばＢＬＥＲ（Ｂｌｏｃｋ  Ｅｒｒｏｒ  Ｒａｔｅ）など）を基に移動先のセルを決定してもよい。
【００３４】
移動元無線基地局１１において、スケジューリング部１０４は、移動端末１からのハンドオーバ実施要求に応答して、移動端末１への共有チャネルを用いたユーザデータの送信を中断するようスケジューリングを行い（ステップＳ２）、制御部１０６は、ハンドオーバ実施応答をアンテナ１０１及び無線通信部１０２を介して移動端末１に送信する（ステップＳ３）。これにより、図５（ａ）に示すように、スケジューリング部１０４のスケジューリング結果に従って、移動元無線基地局１１から移動端末１への共有チャネルを用いたユーザデータの送信が中断される。
【００３５】
移動端末１は、移動先のセルを管理する無線基地局１２に対して直接データ送信要求を送信する（ステップＳ４）。ここで、データ送信要求先を示すため、セル識別番号がデータ送信要求に含められる。データ送信要求を受信した移動先無線基地局１２において、制御部１０６は使用可能な無線リソースを確認し、移動端末１を受け入れ可能か判断する  （ステップＳ５）。制御部１０６は、移動端末１を受け入れ可能であれば、コアネットワーク２０から受信される移動端末１宛のユーザデータをバッファ１０５に蓄積開始し、移動端末１に受け入れ可能を示すデータ送信応答を送信する（ステップＳ６）。
【００３６】
移動端末１は、データ送信応答の受信後、移動先無線基地局１２からのハンドオーバに必要な制御信号を受信してハンドオーバ完了すると、ハンドオーバ完了通知を移動元無線基地局１１及び移動先無線基地局１２に送信する（ステップＳ７）。図５（ａ）に示すように、この通知を受信した移動元無線基地局１１は、移動端末１への共有チャネルを用いたユーザデータの送信を終了し、一方、移動先無線基地局１２では、スケジューリング部１０４が移動端末１への共有チャネルを用いたユーザデータの送信順番を決定し、制御部１０６はそのスケジューリング結果に従ってバッファ１０５に蓄積された移動端末１宛のユーザデータの送信を開始する。
【００３７】
移動端末１への共有チャネルを用いたユーザデータの送信はスケジューリング部１０４のスケジューリングに従ってなされるので、ハンドオーバ完了通知を移動先無線基地局１２が受信した後すぐにデータ送信が行われるとは限らない。図５（ａ）に示すように、ステップＳ３〜ステップＳ７の間、移動端末１に対するデータ送信がなされず送信レートが低下する場合があるため、スケジューリング部１０４はバッファ１０５のデータ蓄積量を参照し、移動端末１宛のユーザデータ蓄積量が一定値以上であれば、共有チャネルを用いた移動端末１へのデータ送信を他の移動端末へのデータ送信より優先してスケジューリングを行って、共有チャネルにおける連続する複数の送信スロットを使用して移動端末１へのデータ送信を行う。これにより、データ送信レートの低下を防ぐことができる。
【００３８】
ここで、移動端末１の受信状態に応じて変調方式が変更される場合には、スケジューリング部１０４は移動端末１の受信状態を考慮して、連続して使用する送信スロット数を決定するようにしてもよい。また、メモリ１０７に移動端末１が要求するＱｏＳを格納しておき、スケジューリング部１０４は、高いＱｏＳが要求されており、かつバッファ１０５のデータ蓄積量が一定値以上という条件を満たすとき、移動端末１へのデータ送信を他の移動端末へのデータ送信より優先するようにしてもよい。
【００３９】
次に、ハンドオーバが失敗した場合の動作について図面を参照して説明する。図４は図１の移動通信システムにおいてハンドオーバが失敗した場合の動作を示すシーケンス図であり、図５（ｂ）はハンドオーバが失敗した場合の図１の無線基地局のユーザデータ送信動作を示す図である。なお、図４のステップＳ１１〜Ｓ１５の処理は図３のステップＳ１〜Ｓ５の処理と同様であるので、その説明は省略する。
【００４０】
図４において、移動先無線基地局１２の制御部１０６は、移動端末１の受け入れができないと判断すると（ステップＳ１５）、その旨を示すデータ送信応答を移動端末１に送信する（ステップＳ１６）。移動端末１は、データ送信応答の受信に応答して、ハンドオーバ失敗通知を移動元無線基地局１１に送信する（ステップＳ１７）。移動元無線基地局１１において、スケジューリング部１０４は、移動端末１からのハンドオーバ失敗通知に応答して、中断されていた移動端末１への共有チャネルを用いたユーザデータの送信を再開するようスケジューリングを行い、図５（ｂ）に示すように、制御部１０６はそのスケジューリング結果に従ってバッファ１０５に蓄積された移動端末１宛のユーザデータの送信を開始し（ステップＳ１８）、移動端末１からの次のハンドオーバ実施要求（ステップＳ１９）を待つ。
【００４１】
なお、ステップＳ１７の後、データ送信を再開する移動元無線基地局１１においても、バッファ１０５のデータ蓄積量や移動端末１が要求するＱｏＳを基に、移動端末１へのデータ送信を他の移動端末へのデータ送信より優先して行うようにしてもよい。
【００４２】
以上説明したように、本発明の実施例では、移動先無線基地局１２は移動端末１のハンドオーバの完了に応答して、ハンドオーバの間に自局のバッファ１０５に蓄積された移動端末１宛のユーザデータの送信を開始するようにしているので、パケット損失を発生させることなく移動端末１はハンドオーバを行うことができる。
【００４３】
また、本発明の実施例では、移動元無線基地局１１は移動端末１のハンドオーバの間、移動端末１へのデータ送信を中断するようにしているので、移動端末１のハンドオーバが失敗した場合にも、移動元無線基地局１１からデータ送信を再開することによりパケット損失の発生を防止することができる。
【００４４】
また、本発明の実施例では、移動先無線基地局１２はバッファのデータ蓄積量やＱｏＳを参照して、移動端末１へのデータ送信を他の移動端末へのデータ送信より優先して行うようにしているので、データ送信レートの低下を防ぐことができる。
【００４５】
また、本発明の実施例では、移動先無線基地局１２に対して直接データ送信要求を送信する移動端末１主導のハンドオーバを行うようにしているので、ハンドオーバ手続きの簡略化と高速化を図ることができる。
【００４６】
次に、本発明の他の実施例について図面を参照して説明する。本発明の他の実施例による移動通信システムの構成は図１に示した本発明の実施例による移動通信システムと同様であり、無線基地局の構成も図２に示した構成と同様であるが、ハンドオーバ時の無線基地局のユーザデータ送信動作が図５に示した動作と異なっている。図６は本発明の他の実施例によるハンドオーバ時の図１の無線基地局のユーザデータ送信動作を示す図である。
【００４７】
図１〜図３及び図６を参照して、本発明の他の実施例による移動通信システムの動作について以下に説明する。図３において、移動端末１は、各セルにおいて送信されるパイロット信号を受信し、その伝搬損失の大きさまたは受信品質を基に移動先のセルを決定して、ハンドオーバ実施要求を移動元無線基地局１１に行う（ステップＳ１）。
【００４８】
移動元無線基地局１１において、スケジューリング部１０４は図６に示すように、移動端末１からのハンドオーバ実施要求に応答して、移動端末１への共有チャネルを用いたユーザデータの送信を中断する中断期間Ｔ１と該送信を行う送信期間Ｔ２を設定する（ステップＳ２）。これにより、図６に示すように、ハンドオーバの間、移動元無線基地局１１において中断期間Ｔ１と送信期間Ｔ２が交互に設けられることになり、スケジューリング部１０４のスケジューリング結果に従って、送信期間Ｔ２にのみ移動元無線基地局１１から移動端末１への共有チャネルを用いたユーザデータの送信が行われることになる。なお、この期間Ｔ１及びＴ２は局データとして無線基地局１１に予め与えられた値である。
【００４９】
そして、制御部１０６は、ハンドオーバ実施応答をアンテナ１０１及び無線通信部１０２を介して移動端末１に送信する（ステップＳ３）。ここで、制御部１０６は、中断期間Ｔ１及び送信期間Ｔ２の情報も併せて移動端末１に通知する。移動端末１は、移動元無線基地局１１からのハンドオーバ実施応答の受信に応答して、移動先のセルを管理する無線基地局１２に対してデータ送信要求を送信する（ステップＳ４）。ここで、移動端末１は、データ送信要求先を示すため、セル識別番号も移動先無線基地局１２に通知すると共に、移動元無線基地局１１における中断期間Ｔ１及び送信期間Ｔ２の情報も通知する。
【００５０】
データ送信要求を受信した移動先無線基地局１２において、制御部１０６は使用可能な無線リソースを確認し、移動端末１を受け入れ可能か判断する（ステップＳ５）。制御部１０６は、移動端末１を受け入れ可能であれば、コアネットワーク２０から受信される移動端末１宛のユーザデータをバッファ１０５に蓄積開始し、移動端末１に受け入れ可能を示すデータ送信応答を送信する（ステップＳ６）。
【００５１】
また、移動先無線基地局１２において、スケジューリング部１０４は、移動元無線基地局１１における中断期間Ｔ１に移動端末１への共有チャネルを用いたユーザデータの送信を実施するようスケジューリングを行い、図６に示すように、制御部１０６はそのスケジューリング結果に従ってバッファ１０５に蓄積された移動端末１宛のユーザデータの送信を開始する。したがって、移動端末１はハンドオーバの間、移動元無線基地局１１における送信期間Ｔ２に移動元無線基地局１１から共有チャネルを用いて送信されるユーザデータを受信しつつ、移動元無線基地局１１における中断期間Ｔ１に移動先無線基地局１２から共有チャネルを用いて送信されるユーザデータを受信することができる。
【００５２】
移動端末１は、移動先無線基地局１２からのデータ送信応答の受信後、移動先無線基地局１２からの制御信号を受信してハンドオーバ完了すると、ハンドオーバ完了通知を移動元無線基地局１１及び移動先無線基地局１２に送信する（ステップＳ７）。図６に示すように、この通知を受信した移動元無線基地局１１は、移動端末１への共有チャネルを用いたユーザデータの送信を終了し、一方、移動先無線基地局１２では、スケジューリング部１０４は、移動元無線基地局１１における中断期間Ｔ１及び送信期間Ｔ２を考慮したスケジューリングに代えて、通常のスケジューリングにより移動端末１への共有チャネルを用いたユーザデータの送信順番を決定し、制御部１０６はそのスケジューリング結果に従ってバッファ１０５に蓄積された移動端末１宛のユーザデータの送信を行う。
【００５３】
なお、本発明の他の実施例におけるステップＳ７の後の移動先無線基地局１２のデータ送信においても、本発明の実施例と同様に、スケジューリング部１０４は、バッファ１０５のデータ蓄積量や移動端末１が要求するＱｏＳを基に、移動端末１へのデータ送信を他の移動端末へのデータ送信より優先して行うようにしてもよい。
【００５４】
また、本発明の他の実施例では、移動元無線基地局１１における中断期間Ｔ１及び送信期間Ｔ２は局データとして予め与えられた固定値であったが、移動元無線基地局１１は自局配下のセルにおけるハンドオーバ発生頻度を管理しておき、制御部１０６がこのハンドオーバ発生頻度を基に中断期間Ｔ１を可変してスケジューリング部１０４に通知するようにしてもよい。具体的には、制御部１０６は、ハンドオーバ発生頻度が高い場合、中断期間Ｔ１を大きく設定するようにする。
【００５５】
以上説明したように、本発明の他の実施例では、ハンドオーバの間、移動元無線基地局１１において中断期間Ｔ１と送信期間Ｔ２が交互に設けられ、中断期間Ｔ１に移動先無線基地局１２がユーザデータ送信し、送信期間Ｔ２に移動元無線基地局１１がユーザデータ送信するので、移動端末１はハンドオーバの間、送信期間Ｔ２に移動元無線基地局１１からのユーザデータを受信しつつ、中断期間Ｔ１に移動先無線基地局１２からのユーザデータを受信することができ、よって、ハンドオーバ時のデータ損失の発生を抑制することができる。
【００５６】
また、本発明の他の実施例では、上述したようにハンドオーバの間、中断期間Ｔ１に移動先無線基地局１２がユーザデータ送信し、送信期間Ｔ２に移動元無線基地局１１がユーザデータ送信するので、ハンドオーバの間、移動端末１へのデータ送信を中断する場合と比べて、データ送信レートの低下を防ぐことができる。
【００５７】
なお、図３及び図４に示した各シーケンス図に従った無線基地局及び移動端末各々の処理動作は、各装置において、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００５８】
【図１】本発明の実施例による共有チャネル伝送方式を用いた移動通信システムの構成を示す図である。
【図２】図１の無線基地局の構成を示す図である。
【図３】図１の移動通信システムのハンドオーバ時の動作を示すシーケンス図である。
【図４】図１の移動通信システムにおいてハンドオーバが失敗した場合の動作を示すシーケンス図である。
【図５】ハンドオーバ時の図１の無線基地局のユーザデータ送信動作を示す図である。
【図６】本発明の他の実施例によるハンドオーバ時の図１の無線基地局のユーザデータ送信動作を示す図である。
【符号の説明】
【００５９】
１    移動端末
１１〜１３    無線基地局
２０    コアネットワーク
１０１    アンテナ
１０２    無線通信部
１０３    通信部
１０４    スケジューリング部
１０５    バッファ
１０６    制御部
１０７    メモリ
【図１】
2008022181.tif 000003
【図２】
2008022181.tif 000004
【図３】
2008022181.tif 000005
【図４】
2008022181.tif 000006
【図５】
2008022181.tif 000007
【図６】
2008022181.tif 000008